(57)【要約】【課題】自励発振方式のインバータ回路において、出力電圧の高調波成分を低減する。【解決手段】１組のスイッチング素子を自励発振させて高周波電圧を生成するスイッチングトランス４０と、スイッチングトランス４０が駆動するためのドライブ電圧を前記スイッチングトランスに供給するドライブ電圧供給回路５０とを有するインバータ回路において、ドライブ電圧を所定周期でローレベルに下げて、スイッチングトランス４０の発振周波数を変化させるドライブ電圧供給切替手段６０を有する。【選択図】図１
2009048863.tif 000002
【特許請求の範囲】
【請求項１】
１組のスイッチング素子を自励発振させて高周波電圧を生成するスイッチングトランスと、
前記スイッチングトランスが駆動するためのドライブ電圧を前記スイッチングトランスに供給するドライブ電圧供給回路とを有するインバータ回路において、
前記ドライブ電圧を所定周期でローレベルに下げて、前記スイッチングトランスの発振周波数を変化させるドライブ電圧供給切替手段を有することを特徴とするインバータ回路。
【請求項２】
前記ドライブ電圧供給切替手段は、前記ドライブ電圧の前記スイッチングトランスへの供給を切替えるトランジスタを有し、
所定トランジスタを所定周期でオフさせて、前記ドライブ電圧をローレベルに下げることを特徴とする請求項１に記載のインバータ回路。
【請求項３】
前記ドライブ電圧供給回路は、
交流電圧を整流して直流電圧を生成するコンバータを有し、
前記コンバータから供給された電源電圧を基に前記ドライブ電圧を生成する構成であって、
前記コンバータは、前記ドライブ電圧供給回路へ供給する出力電圧を検出し、検出結果に基づいて出力されるフィードバック信号を用いて出力電圧をフィードバック制御し、
前記ドライブ電圧供給切替手段は、前記フィードバック信号を制御して、前記出力電圧を所定周期でオフすることを特徴とする請求項１に記載のインバータ回路。
【請求項４】
前記コンバータはフライバックコンバータであることを特徴とする請求項３に記載のインバータ回路。
【請求項５】
１組のスイッチング素子を自励発振させて高周波電圧を生成するスイッチングトランスと、
前記スイッチングトランスが駆動するための直流のドライブ電圧を前記スイッチングトランスに供給するドライブ電圧供給回路とを有するインバータ回路の駆動方法において、
前記ドライブ電圧の供給を所定周期でオフさせて、前記スイッチングトランスの発振周波数を変化させることを特徴とするインバータ回路の駆動方法。
【請求項６】
液晶パネルと、
前記液晶パネルの背面側に設定されて光を照射するバックライトと、
前記バックライトを駆動するインバータ回路とを有する液晶表示装置において、
前記インバータ回路は、
１組のスイッチング素子を自励発振させて高周波電圧を生成するスイッチングトランスと、
前記スイッチングトランスが駆動するためのドライブ電圧を前記スイッチングトランスに供給するドライブ電圧供給回路と、
前記ドライブ電圧を所定周期でローレベルに下げて、前記スイッチングトランスの発振周波数を変化させるドライブ電圧供給切替手段とを有することを特徴とする液晶表示装置。
【請求項７】
液晶パネルと、
前記液晶パネルの背面側に設定されて光を照射するバックライトと、
前記バックライトを駆動するインバータ回路とを有する液晶表示装置において、
前記インバータ回路は、
１組のスイッチング素子を自励発振させて高周波電圧を生成するスイッチングトランスと、
前記スイッチングトランスが駆動するためのドライブ電圧を前記スイッチングトランスに供給するドライブ電圧供給回路と、
前記ドライブ電圧の前記スイッチングトランスへの供給を切替えるトランジスタを所定周期でオフさせることで、該ドライブ電圧をローレベルに下げて、前記スイッチングトランスの発振周波数を変化させるドライブ電圧供給切替手段とを有することを特徴とする液晶表示装置。
【発明の詳細な説明】
【技術分野】
【０００１】
本発明は、自励発振により高周波電圧を発生させるインバータ回路、インバータ回路の駆動方法、及び液晶表示装置において、特に、高調波成分を低減するものに関する。
【背景技術】
【０００２】
従来、スイッチング素子を発振制御して直流電圧から高周波電圧を生成するインバータ回路が知られている。インバータ回路で生成された高周波電圧は例えば、放電灯を点灯するための電源として使用されている（例えば、特許文献１，２参照）。
【０００３】
また、スイッチング素子を自励発振させて高周波電圧を生成するインバータ回路が知られている。自励発振方式のインバータ回路は、１組のスイッチング素子を備えるスイッチングトランスを備えており、スイッチング素子を自励発振させてトランスの２次巻線に高周波電圧を生成する。
【０００４】
このようなインバータ回路で生成された高周波電圧には、基本波に高調波が合成されて出力される場合がある。ここで、高調波とは、基本波の整数倍の周波数を備えた成分である。そのため、高調波がノイズとして作用することで、機器の誤作動や、可視ノイズを発生させる場合がある。
【０００５】
自励発振方式ではなく、スイッチング素子をＩＣ等で制御して発振を制御する他励発振式インバータ回路において、ＩＣからスイッチング素子に供給するコントロール信号のデューティ比を制御して出力電圧の周波数を変調することで、出力電圧に合成される高調波を低減させる技術が開示されている（例えば、特許文献３参照。）。
【特許文献１】特開２００４−１７２１３０号公報
【特許文献２】特開平９−３１２２００号公報
【特許文献３】特開平５−１１１２５５号公報
【発明の開示】
【発明が解決しようとする課題】
【０００６】
上述した特許文献３の発明は、次のような課題があった。つまり、他励発振方式のインバータ回路における高調波を低減させる技術であるため、自励発振方式のインバータ回路には適応することはできなかった。つまり、自励発振方式のインバータ回路では、他励発振方式のインバータ回路と異なり、スイッチング素子をＩＣを用いて制御することができない。このため、特許文献３に記載された技術をスイッチング素子をドライブさせるためのＩＣを持たない自励発振方式のインバータ回路に適応することはできない。
【０００７】
本発明は、上記課題にかんがみてなされたもので、自励発振方式のインバータ回路において、出力電圧の高調波成分を低減することが可能なインバータ回路、インバータ回路の駆動方法、及び上記インバータ回路を使用した液晶表示装置の提供を目的とする。
【課題を解決するための手段】
【０００８】
上記課題を解決するために、本発明では、１組のスイッチング素子を自励発振させて高周波電圧を生成するスイッチングトランスと、前記スイッチング素子が自励発振するための直流のドライブ電圧を前記スイッチング素子に供給するドライブ電圧供給回路とを有するインバータ回路において、前記ドライブ電圧の供給を所定周期でオフさせて、前記スイッチング素子の発振周波数を変化させるドライブ電圧供給切替手段を有する構成としてある。
【０００９】
上記のように構成した発明では、１組のスイッチング素子を自励発振させて高周波電圧を生成するスイッチングトランスと、前記スイッチング素子が自励発振するための直流のドライブ電圧を前記スイッチング素子に供給するドライブ電圧供給回路とを有するインバータ回路において、ドライブ電圧供給切替手段を用いて、ドライブ電圧の供給を所定周期でオフさせる。このため、スイッチング素子の発振周波数が変化し、スイッチングトランスに発生する電圧の高調波成分が低減される。
【００１０】
好ましくは、前記ドライブ電圧供給回路は、トランジスタをオン／オフさせて、前記スイッチング素子に定電圧電源からのドライブ電圧を供給する構成であって、前記ドライブ電圧供給切替手段は、前記トランジスタを所定周期でオフさせるパルス波を出力する。
そのため、スイッチング素子のオン／オフの切替えを用いて、周波数を変化させることができる。
【００１１】
本発明の他の側面として、前記ドライブ電圧供給回路は、コンバータから供給された電源電圧を基に前記ドライブ電圧を生成する構成であって、前記コンバータは、前記ドライブ電圧供給回路へ供給する出力電圧を検出し、検出結果に基づいて出力されるフィードバック信号を用いて出力電圧をフィードバック制御する構成であって、前記ドライブ電圧供給切替手段は、前記フィードバック信号を制御して、前記出力電圧を所定周期でオフする。
そのため、フィードバック制御により、周波数を変化させることができる。
【００１２】
好ましくは、前記コンバータはフライバックコンバータである。
【００１３】
本発明の他の側面として、１組のスイッチング素子を自励発振させて高周波電圧を生成するスイッチングトランスと、前記スイッチング素子が自励発振するための直流のドライブ電圧を前記スイッチング素子に供給するドライブ電圧供給回路とを有するインバータ回路の駆動方法において、前記ドライブ電圧の供給を所定周期でオフさせて、前記スイッチング素子の発振周波数を変化させる。
【００１４】
本発明の他の側面として、液晶パネルと、前記液晶パネルの背面側に設定されて光を照射するバックライトと、前記バックライトを駆動するインバータ回路とを有する液晶表示装置において、前記インバータ回路は、１組のスイッチング素子を自励発振させて高周波電圧を生成するスイッチングトランスと、前記スイッチングトランスのスイッチング素子が自励発振するための直流のドライブ電圧を前記スイッチング素子に供給するドライブ電圧供給回路と、前記ドライブ電圧の供給を所定周期でオフさせて、前記スイッチング素子の発振周波数を変化させるドライブ電圧供給切替手段を有する。
そのため、高調波成分が起因して液晶パネルに発生する可視ノイズを低減することができる。
【００１５】
さらに、本発明の他の側面として、液晶パネルと、前記液晶パネルの背面側に設定されて光を照射するバックライトと、前記バックライトを駆動するインバータ回路とを有する液晶表示装置において、前記インバータ回路は、１組のスイッチング素子を自励発振させて高周波電圧を生成するスイッチングトランスと、前記スイッチングトランスが駆動するためのドライブ電圧を前記スイッチングトランスに供給するドライブ電圧供給回路と、前記ドライブ電圧の前記スイッチングトランスへの供給を切替えるトランジスタを所定周期でオフさせることで、該ドライブ電圧をローレベルに下げて、前記スイッチングトランスの発振周波数を変化させるドライブ電圧供給切替手段とを有する構成としてある。
【発明の効果】
【００１６】
以上説明したように請求項１及び５に係る本発明によれば、自励発振方式のインバータ回路において、出力電圧の高調波成分を低減させることができる。
また請求項２にかかる発明によれば、スイッチング素子のオン／オフの切替えを用いて、周波数を変化させることができる。
そして請求項３，４にかかる発明によれば、フィードバック制御により、周波数を変化させることができる。
さらに請求項６にかかる発明によれば、高調波成分が起因して液晶パネルに発生する可視ノイズを低減することができる。
さらに請求項７のような、より具体的な構成において、上述した請求項１〜請求項６の各発明と同様の作用を奏することはいうまでもない。
【発明を実施するための最良の形態】
【００１７】
以下、下記の順序に従って本発明の実施形態を説明する。
（１）本発明の構成
（２）第一の実施の形態
（３）第二の実施の形態
（４）まとめ
【００１８】
（１）本発明の構成 
図１は本発明のクレーム対応図である。本発明に係るインバータ回路は、自励発振方式により高周波電圧を生成する。インバータ回路７０は、自励発振により高周波電圧を生成するスイッチングトランス４０と、スイッチングトランスが駆動するための電圧を供給するドライブ電圧供給回路５０と、ドライブ電圧供給回路５０が供給するドライブ電圧を所定周期で一定期間ローレベルにするドライブ電圧供給切替手段６０とを有している。
【００１９】
インバータ回路７０における作用を説明する。なお、自励発振方式は周知の技術であるため、ここでは簡略的な説明に留める。ドライブ電圧供給回路から、スイッチングトランス４０へドライブ電圧Ｖｉｎが供給されると、スイッチングトランス４０は、ドライブ電圧Ｖｉｎを、トランスＷの１次巻線Ｗ１に印加するとともに、このドライブ電圧Ｖｉｎに基づくバイアス電圧Ｖｂｉａｓをスイッチング素子Ｑ１，Ｑ２に印加する。これにより、スイッチング素子Ｑ１，Ｑ２のオン／オフ及び帰還巻線ＷＦからの帰還電圧に基づいて、スイッチング素子が自励発振を繰り返し、トランスＷの２次巻線に高周波電圧を発生させる。
【００２０】
また、ドライブ電圧供給切替手段６０は、ドライブ電圧がスイッチングトランス４０に供給されてから所定周期が経過すると、ドライブ電圧供給回路５０にドライブ電圧を一定期間ローレベルにするよう指示を出す。これにより、スイッチングトランス４０に供給されるドライブ電圧Ｖｉｎがローレベルとなり、スイッチングトランス４０の発振周期が変調する。これにより、発振周期に伴って２次巻線に発生する高周波電圧も、その周波数が変調される。
【００２１】
図６（ａ）は、発振周波数が一定の場合におけるスイッチングトランスに発生する出力電圧の一部を示す図である。また、図６（ｂ）は、発振周波数を変動させた場合における出力電圧の一部を示す図である。図６（ａ）に示すように、スイッチングトランス４０の発振周波数が一定の場合、出力電圧は一定のピーク値を備えた高調波成分を有している。また、各高調波成分におけるエネルギーは、基準値近傍まで達している。これに対して、発振周波数を変化させた場合、出力電圧は各周波数成分ごとに高調波成分を含んでいるものの、各高調波成分におけるエネルギーは図６（ａ）に比べて低い値となっている。つまり、発振周波数を変化させた場合における、出力電圧の高調波成分は、基準値を大きく下回っている。
【００２２】
（２）第一の実施の形態
（２−１）液晶表示装置の構成
図２を参照して、この発明に係る第一の実施の形態を説明する。図２は、本発明に係るインバータ回路を使用した液晶表示装置のブロック構成図である。液晶表示装置１００は、表示機８０とリモコン装置９０とから構成されている。表示機８０は、液晶表示装置１００の駆動を制御する制御部８１と、電力を供給する電源回路８２と、所定の映像データを取得する映像処理回路８３と、取得した音声データから音声を出力する音声出力部８４と、画像を表示する液晶ディスプレイ８５と、液晶ディスプレイ８５を背面から照らすバックライト８６とを備えている。また、液晶表示装置１００がテレビジョン受信機である場合は、テレビジョン放送を受信するチューナモジュール８７を有し、このチューナモジュール８７には、テレビジョン放送電波を受信するアンテナ２００が接続している。
【００２３】
液晶表示装置１００では、リモコン装置９０の操作により、制御部８１で選局されたテレビジョン放送信号や外部入力信号を取得する。取得されたテレビジョン放送信号や外部入力信号は、映像処理回路８３により所定の信号処理を施された後、映像信号を液晶ディスプレイ８５に出力し、音声信号を音声出力部８４に出力する。
【００２４】
液晶ディスプレイ８５は、バックライト８６からの光源により液晶ディスプレイ８５を背面から照らすことで画像を表示する。液晶ディスプレイ８５の画面は、ＲＧＢの各色が塗布された画素をマトリクス状に配置することにより構成されている。各画素には印加された電圧の強さにより光の透過率を変化させる液晶物質が充填されている。液晶ディスプレイ８５は、入力された映像信号をディジタル／アナログ変換した後、各画素に印加することにより各画素の光の透過率を変化させる。
【００２５】
バックライト８６は、インバータ回路７０から供給された高周波電圧により点灯を行い、液晶ディスプレイ８５を背面側から照らす。これにより、画面を構成する各画素は映像信号に基づくアナログ信号によりバックライト８６からの光の透過率を変化させて透過光量に応じた画像を表示する。
【００２６】
（２−２）インバータ回路の構成
図３は、本発明に係るインバータ回路の構成図である。同図より、ドライブ電圧供給切替手段６０は、トランジスタのオン／オフ制御により、ドライブ電圧供給回路から供給されるドライブ電圧をローレベルにするドライブ電圧供給切替回路６１により実現される。また、ドライブ電圧供給回路５０は、電源回路８２から直流電圧を供給される構成としてる。
【００２７】
ドライブ電圧供給回路５０は、ドライブ電圧供給切替回路６１のトランジスタのコレクタと接続し、このトランジスタがオンされることで、ドライブ電圧をスイッチングトランス４０に印加する。ドライブ電圧供給回路５０は、電源回路８２から供給された直流電圧に基づいて＋２１Ｖのドライブ電圧を生成する。
【００２８】
ドライブ電圧供給切替回路６１は、３つのトランジスタＴ１，Ｔ２，Ｔ３を有し、各トランジスタＴ１，Ｔ２，Ｔ３のオン／オフを切替えることで、コンデンサＣ１の蓄電量を変化させてドライブ電圧供給回路が出力するドライブ電圧を変圧する。ドライブ電圧供給切替回路６１は、前述したトランジスタＴ１，Ｔ２，Ｔ３と、トランジスタＴ１をオンさせるベース電流を流す切替電源６２と、トランジスタＴ２をオンさせるベース電流を流すシステムマイコン６３と、コンデンサＣ１とを有している。
【００２９】
切替電源６２は、トランジスタＴ１にベース電流をオンすための電源である。切替電源６２は、トランジスタＴ２のコレクタと接続している。また、トランジスタＴ２のエミッタは、トランジスタＴ１にベース電流を流すための抵抗Ｒ１と接続している。なお、抵抗Ｒ１の他端は、コンデンサＣ２と接続している
【００３０】
システムマイコン６３は、内部に時計手段を有しており、設定された時間ごとに出力端子から出力されるハイレベルの電源ＳＷ信号をローレベルの信号に変換する。システムマイコン６３の出力端子は、コンデンサＣ３の正の端子とトランジスタＴ３にベース電流を流す抵抗Ｒ３と並列に接続している。また、トランジスタＴ３のコレクタはトランジスタＴ２にベース電流を流す抵抗Ｒ２と接続し、エミッタは接地されている。なお、コンデンサＣ３の負の端子は接地されている。また、システムマイコン６３が内蔵する時計手段はタイマ等である。
【００３１】
ドライブ電圧供給切替回路６１の動作を説明する。システムマイコン６３が内部の時計手段に基づいて、ハイレベルの電源ＳＷ信号を出力すると、コンデンサＣ３は蓄電され、抵抗Ｒ３の両端に起電力が発生する。そのため、トランジスタＴ３にベース電流が流れ、トランジスタＴ３はオンする。これにより、抵抗Ｒ２の両端に起電力が発生し、トランジスタＴ２にベース電流が流れ、トランジスタＴ２はオンする。トランジスタＴ２がオンすると、切替電源６２の電圧でコンデンサＣ２が蓄電され、蓄電された電荷によりトランジスタＴ１がオンする。そうして、ドライブ電圧供給回路５０から、供給されるドライブ電圧によりコンデンサＣ１が蓄電される。これにより、スイッチングトランス４０には、コンデンサＣ１が蓄電した電荷が印加される。
【００３２】
逆に、システムマイコン６３が時計手段に基づいて、電源ＳＷ信号をローレベルにした場合、トランジスタＴ１，Ｔ２，Ｔ３はオンせず、ドライブ電圧供給回路５０からコンデンサＣ１にドライブ電圧が供給されないため、コンデンサＣ１は蓄電した電荷を放出する。これにより、スイッチングトランス４０に印加される電圧値が時間とともに減少していく。このため、システムマイコン６３から出力される電源ＳＷ信号の信号状態に応じて、スイッチングトランス４０に印加されるドライブ電圧の電圧値が変化することとなる。
【００３３】
図４は、本実施の形態における一例としてのスイッチングトランスを示す図である。スイッチングトランス４０は、供給されたドライブ電圧によりスイッチング素子を自励発振させて、トランスＷの２次側に高周波電圧を生成する。スイッチングトランス４０は、ドライブ電圧を分圧して、スイッチング素子Ｑ１，Ｑ２にバイアス電圧Ｖｂｉａｓを印加するバイアス電圧供給部４１と、スイッチング素子Ｑ１，Ｑ２と、共振コンデンサＣ４と、トランスＷとを有している。なお、スイッチング素子Ｑ１，Ｑ２はＦＥＴとして説明を行なうが、スイッチング素子としてトランジスタを用いたものであってもよい。
【００３４】
ここで、スイッチングトランスの自励発振について概略的に説明を行なう。スイッチングトランス４０にドライブ電圧が印加されると、バイアス電圧供給部４１は、バイアス電圧をＦＥＴＱ１，Ｑ２のゲートに印加する。時定数によりＦＥＴＱ１のゲートにゲート電圧が印加され、ＦＥＴがオンしたとする。これに伴い。トランスＷにドライブ電圧に基づく電流が流れ、磁界が発生する。そのため、トランスＷの２次巻線Ｗ２に半波の電圧が発生する。また、トランスＷに発生した磁界により帰還巻線ＷＦに電圧が発生し、ＦＥＴＱ１のゲートに負電圧を印加する。これにより、ＦＥＴＱ１はオフする。逆に、ＦＥＴＱ２のゲートには正電圧が印加され、ＦＥＴＱ２をオンする。上述した動作の繰り返しによりＦＥＴＱ１，Ｑ２のオン／オフが切替えられ、トランスＷの２次巻線Ｌ２には、正の半波と負の半波が交互に発生し、高周波電圧を生成する。
【００３５】
以下に、図５、６を基に本発明に係るインバータ回路の動作を説明する。図５は、システムマイコン６３から出力される電源ＳＷ信号と、ドライブ電圧の波形との関係を示す図である。また、図６は、トランスＷの２次巻線に発生する出力電圧の一部を示す図である。
【００３６】
制御部８１からバックライト点灯信号が入力されると、システムマイコン６３は、電源ＳＷ信号をハイレベルで出力する。そのため、ドライブ電圧供給回路５０からは一定電圧のドライブ電圧がスイッチングトランス４０に供給される。これにより、スイッチングトランス４０は所定の発振周波数で自励発振を開始する。その後、１００ｍｓｅｃのウォームアップ期間が過ぎると、システムマイコン６３は電源ＳＷ信号を約３５μｓｅｃローレベルにする。そのため、コンデンサＣ１が放電を開始し、時間とともに電圧値が低下するドライブ電圧がスイッチングトランス４０に供給される。これにより、スイッチングトランス４０は、ＦＥＴＱ１，Ｑ２のオン／オフのタイミングが変化し、発振周波数が変化する。そして、３５μｓｅｃ経過すると、システムマイコン６３は電源ＳＷ信号をハイレベルに戻す。さらに、システムマイコン６３は、電源ＳＷ信号をローレベルにしてから３５０ｍｓｅｃ後に、再度、電源ＳＷ信号をローレベルにする。つまり、システムマイコン６３は、３５０ｍｓｅｃごとに電源ＳＷ信号を３５０μｓｅｃだけローレベルにする。
【００３７】
上述した作用により、スイッチングトランス４０の発振周波数が僅かに変化し、２次巻線Ｗ２に発生する出力電圧は電圧値が下がる。そのため、出力電圧の高調波成分も、図６（ｂ）に示すように、各周波数成分の整数倍の高調波として表れる。そのため、各高調波のエネルギーが分散され、結果として各高調波が規定値内に収まる。ここで、出力電圧の電圧値の低下は、ユーザが画面を目視した際、輝度の低下を目視できないレベルにすることが望ましい。
【００３８】
また、本発明では、高調波に起因した液晶パネルの画面上の可視ノイズを低減することができる。液晶パネルとバックライトとの間には、見かけのコンデンサ成分である寄生容量が存在しており、この寄生容量に高調波成分が作用することで画面上に可視ノイズを発生させている。そのため、各高調波成分のエネルギーを分散させることで、可視ノイズの発生を低減させることができる。
【００３９】
（３）第二の実施の形態
図７を参照して本発明に係る第二の実施の形態を説明する。図７は、第二の実施の形態におけるインバータ回路の一部を示す図である。ドライブ電圧を所定周期でローレベルにする方法としては、ドライブ電圧供給回路５０に供給する電源の入力を所定周期でローレベルに切替えるものであってもよい。そのため、第二の実施の形態では、ドライブ電圧供給切替手段を、ドライブ電圧供給回路に電源を供給する回路を用いて構成している。
【００４０】
図７より、ドライブ電圧供給切替回路６１は、フライバックコンバータ６４と、可変抵抗回路６５と、フィードバック回路６６とを有する構成である。
【００４１】
フライバックコンバータ６４は、ＴＦＴのオン／オフの切り替えに基づいて、コンデンサＣ５に蓄電された電荷をトランスＷに供給する。そのため、トランスＷの２次側には、誘導起電力が発生する。また、トランスＷの２次側端子はドライブ電圧供給回路５０と接続しており、トランスＷで発生した電圧をドライブ電圧供給回路５０に供給する。
【００４２】
フィードバック回路６６は、トランスＷの２次巻線からドライブ電圧供給回路５０に供給する電圧を検出して、検出結果に基づくフィードバック信号をトランスＷの１次巻き線に印加する。なお、本実施の形態では、フォトカプラ６７を用いてフィードバック信号をトランスＷの１次巻き線に印加している。
【００４３】
可変抵抗回路６５は、フィードバック回路６６が検出する検出電圧の電圧値を変化させる。可変抵抗回路は、システムマイコン６５ａと、トランジスタＴ４、及び抵抗Ｒ４，Ｒ５とで構成されている。抵抗Ｒ４，Ｒ５は並列接続されて、抵抗Ｒ５の出力端はトランジスタＴ４のコレクタと接続している。このため、システムマイコン６５ａからの信号がハイレベルの場合は、トランジスタＴ４がオンし、可変抵抗回路における抵抗値は、抵抗Ｒ４とＲ５との合成抵抗値である。また、システムマイコンからの信号がローレベルの場合は、トランジスタＴ４がオフし、可変抵抗回路における抵抗値は、抵抗Ｒ５のみとなる。
【００４４】
上述したドライブ電圧供給切替回路６１の構成により、システムマイコン６３がハイレベルの信号を出力する場合通常状態とすると、システムマイコン６３がオフすることにより、可変抵抗回路の抵抗値が下がり、フィードバック信号の電圧値が上昇する。このため、トランスＷの１次巻線に印加されるフィードバック信号の電圧値が高くなり、磁界の強さを弱め、２次巻線に発生する出力電圧を低下させる。そのため、ドライブ電圧供給回路５０には、トランスＷから電源電圧が供給されなくなる。なお、この電源電圧が供給されない時間は、第一の実施の形態と同様、３５０ｍｓｅｃで３５０μｓｅｃの期間であることが望ましい。
【００４５】
（４）まとめ
１組のスイッチング素子を自励発振させて高周波電圧を生成するスイッチングトランス４０と、スイッチングトランス４０が駆動するためのドライブ電圧を前記スイッチングトランスに供給するドライブ電圧供給回路５０とを有するインバータ回路において、ドライブ電圧を所定周期でローレベルに下げて、スイッチングトランス４０の発振周波数を変化させるドライブ電圧供給切替手段６０を有する。
【００４６】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４７】
【図１】本発明のクレーム対応図である。
【図２】本発明に係るインバータ回路を使用した液晶表示装置のブロック構成図である。
【図３】本発明に係るインバータ回路の構成図である。
【図４】本実施の形態における一例としてのスイッチングトランスを示す図である。
【図５】システムマイコンから出力される電源ＳＷ信号と、ドライブ電圧の波形との関係を示す図である。
【図６】トランスＷの２次巻線に発生する出力電圧の一部を示す図である。
【図７】第二の実施の形態におけるインバータ回路の一部を示す図である。
【符号の説明】
【００４８】
４０…スイッチングトランス、４１…バイアス電圧供給部、５０…ドライブ電圧供給回路、６０…ドライブ電圧供給切替手段、６１…ドライブ電圧供給切替回路、６２…切替電源、６３…システムマイコン、６４…フライバックコンバータ、６５…可変抵抗回路、６５ａ…システムマイコン、６６…フィードバック回路、６７…フォトカプラ、７０…インバータ回路、８０…表示機、８１…制御部、８２…電源回路、８３…映像処理回路、８４…音声出力部、８５…液晶ディスプレイ、８６…バックライト、８７…チューナモジュール、９０…リモコン装置、１００…液晶表示装置、２００…アンテナ
【図１】
2009048863.tif 000003
【図２】
2009048863.tif 000004
【図３】
2009048863.tif 000005
【図４】
2009048863.tif 000006
【図５】
2009048863.tif 000007
【図６】
2009048863.tif 000008
【図７】
2009048863.tif 000009